(57)【要約】【課題】お尻を洗浄できる水入りボトルを持ち歩きトイレットペーパーの使用を抑えお尻の清潔をたもつ。【解決手段】折畳式プラスチック洗浄器であって軽く持ち運びに便利で、ノズルが折り畳んだり上に跳ね上げられる構造で、バルブを内蔵して畳んだときは中の水が漏れずコンパクトになり、ノズルを跳ね上げると、バルブが開き使用のときのみ水で排便後の肛門を自分で洗えることを特徴とする。【選択図】図１
2008062002.tif 000002
【特許請求の範囲】
【発明の詳細な説明】
【技術分野】
【０００１】本発明は人が排便後トイレットペーパーを使用する代わりに、肛門部を水で洗浄する装置を提供する、携帯用肛門部洗浄装置に関する。
【背景技術】
【０００２】従来ハンディ型肛門洗浄装置は、バッテリーを使って電動ポンプを動かして内部の水を細いノズルから噴出して肛門を洗浄するものがあった。【０００３】しかし、携帯用のためバッテリー容量も限られポンプは弱く満足に洗えない。
また、バッテリーを動力で使うため電力消費が激しく、総重量も重たくなり持ち運びに不便であった。本体は耐水電動製品で高価になる欠点があった。【０００４】また、従来品は本体に電動ポンプ、バッテリー、制御回路、スイッチ、などがあるため水を入れたまま持ち歩くことができず、不便であった。
【発明の開示】
【発明が解決しようとする課題】
【０００５】上述の如く従来技術に係る肛門洗浄装置は高価で重く、バッテリーの消耗が激しという欠点があった。【０００６】このため、ほとんどの人は自宅では自動肛門洗浄装置を使い、外ではトイレットペーパーで処理している。
しかるに、一日の大半を外で過ごす人にとって、トイレットペーパーで便を拭き取るだけでは、衛生上好ましくない。おしりのにおいも完全にはとれず不都合である。【０００７】本発明はこのような点に鑑みてなされたもので。
その目的は、外出においても自動洗浄装置のように清潔な排便処理を行う装置を提供することにある。【０００８】上述の目的を達成する本発明の折畳式プラスチック洗浄器は、理化学実験機器で使われるプラスチック洗浄瓶を改良した形状を持つ弾性プラスチックボトルとノズルの付いたキャップで構成される。【０００９】洗浄水の圧力の強さは人の手の把握力に依存するのは同じである。
通称ポリ洗浄器はキャップの上部に向かってノズルが挿入されているが、本発明はノズルはキャップの横の穴にＬ型ノズルが挿入される。【００１０】Ｌ型ノズルのキャップに挿入された部分はＬ型ノズルが上を向き使用状態のときノズル排水口が下に位置し洗浄水が出る。【００１１】Ｌ型ノズルを畳んで下を向いたときはノズル排水口は上に位置してバルブ受け部に閉ざされて排水口が閉じるバルブ構造を持つ。【００１２】水を瓶に入れるときはキャップネジを回して、容易にボトルに水を入れられるのは従来のポリ洗浄器と同じである。【００１３】このように折畳式プラスチック洗浄器は軽く安価でバッテリーが要らずポンプによる故障もなく、洗浄水圧も、人の手の把握力で自在に調整できる携帯用肛門洗浄装置を提供する。
トイレットペーパーの消費を抑えて地球環境に貢献でき、地球温暖化防止に効果がある。
【発明を実施するための最良の形態】
【００１４】以下本発明の実施形態を図面に基ず詳細に説明する。【００１５】図１〜図５は本発明の実施形態に係り
図１は外観斜視図、図２は折畳んだ状態の側面図、図３は折りたたんだ状態の外観正面図、図４は使用状態の断面図、図５は折畳んだ状態の断面図、図６は人がトイレで折畳式プラスチック洗浄器を使用している状態図である。【００１６】図１に示すように折畳式プラスチック洗浄器は、洗浄水が入る容器ボトル３に、横からＬ型ノズル２が挿入されたキャップ１とＬ型ノズル２からなる。
Ｌ型ノズル２はキャップ１に対してキャップ横穴１０で縦に回転自在で折畳むことができる。
ノズル２の先端９は人の肛門部７に容易に噴射できるようにＲがついて曲げてある。【００１７】この曲げる向きは右利き用と左利き用では逆である。【００１８】図２は折畳んだ状態の側面図で先端９のＲが左を向き曲がっているのは右利き用である。
ノズル２はキャップ１の排水口１０で左右に回転できるため、折畳んだ状態から、使用状態にすることが可能である。
キャップはネジ式で取り外し自在で水を入れることができる。【００１９】図３は折畳んだ状態の正面図で、コンパクトになり容易にハンドバックに入れて持ち歩くことができることを示す。
折畳んだ状態ではバルブ構造で中に入れた水が漏れなく便利である。【００２０】図４は使用状態の断面図である。
すなわちノズル２の付け根にはＬ字の外側に位置するようにノズル穴４が開いているこのノズル穴４はノズルを使用状態すなわち上に向けるとノズル穴４は下側に位置し、瓶３内部６とノズル２の管内は貫通する。
折畳式プラスチック洗浄器をさかさまにして押せば水はノズルの先端９から勢いよく噴出す。【００２１】図５は折畳んだ状態の断面図である。
ノズル２の付け根にはＬ字の外側に位置するようにノズル穴４が開いている。
畳んだ状態ではノズル穴４はボトルに対して反対の方向に向きバルブ受け部１１により、ボトルの内容物である、水は外に出られない。
バルブが閉まった状態で密閉された水を持ち歩くことができる。【００２２】図６は人がトイレで折畳式プラスチック洗浄器を使った様態図で右利きの人が使っている図で右手で折畳式プラスチック洗浄器を持ってキャップ部を下にする。
ノズル２の角度を調整して自分の肛門部８に向かって水を思い通りの強さで洗浄することができる。【００２３】お尻を洗う自動洗浄装置は据付型でマイホームではかなり普及して人の健康と衛生に寄与している。【００２４】したがって、トイレットペーパーの使用量はマイホームでは少なくなってきた。
トイレットペーパーは熱帯雨林のパルプが使われこの使用量を減らすことは地球環境を守り、地球温暖化を防ぐため急務である。
しかし外室先のトイレでは自動お尻洗浄器が設置されているところはまれである。
高価であるためである。【００２５】本発明は屋外でも、または自宅でもお尻の清潔とトイレットペーパーの使用量を減らすことにあり。ボトルとキャップとノズルという低コストの部品でトイレットペーパーの不使用を達成しようとするものである。
折畳式プラスチック洗浄器とハンカチを持っていれば、トイレットペーパーを使わず排便処理を行うことができる。
【実施例】
【００２６】実施例にて説明する。折畳式プラスチック洗浄器は、ボトルの大きさで大人用と子供用が提供できるだけでなく、上に跳ね上げただけでバルブが開き使用でき便利である。
ノズルは回転して好きなアングルに調整できて容易にお尻を洗うことができる。【００２７】キャップ部のネジのピッチを市販のＰＥＴボトルに合わせれば、緊急のときには、キャップ部をミネラルウォーターに取り付けて使用できる。【００２８】折畳式プラスチック洗浄器は大小さまざまなものが作れるがバルブ構造を持っているのでマシンオイルを入れて持ち運ぶのにも便利である。【００２９】通常オイルボトルにはノズルの先にキャップがついて密封するがノズルの先のキャップは小さく外れやすくオイルが漏れるという欠点があった。
本発明はバルブの構造があるのでボトルに不要な圧力がかかっても漏れ出すことがない。
【産業上の利用可能性】
【００３０】本発明は人が排泄後の後処理でトイレットペーパーを使わずに、再資源化が可能な水でお尻の洗浄をしようとするもので排泄後の便のふき取りに元の素材が熱帯雨林のパルプであるトイレットペーパーが使用廃棄されるのを防ぐだけでなく、健康衛生上も水で洗浄するほうが優れるので有益である。
低コストで本発明が実施できるので地球環境の保護に役立つ
【図面の簡単な説明】
【図１】本発明の使用形態に係る折畳式プラスチック洗浄器の外観斜視図である。
【図２】本発明の折り畳んだ状態に係る折畳式プラスチック洗浄器の側面図である。
【図３】本発明の折り畳んだ状態に係る折畳式プラスチック洗浄器の正面図である。
【図４】本発明の使用状態に係る断面図である。
【図５】本発明の折り畳んだ状態に係る断面図である。
【図６】本発明を人がトイレで使用している状態図である。
【符号の説明】
１    キャップ
２    ノズル
３    瓶
４    ノズル穴
５    ボトルネジ
６    瓶内部
７    人
８    肛門
９    ノズル先端
１０  キャップ横穴
１１  バルブ受け
【図１】
2008062002.tif 000003
【図２】
2008062002.tif 000004
【図３】
2008062002.tif 000005
【図４】
2008062002.tif 000006
【図５】
2008062002.tif 000007
【図６】
2008062002.tif 000008
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
折畳式プラスチック洗浄器においてＬ型チューブが上部キャップを瓶に締め付ける方向に垂直の方向に挿入され、チューブを回転することによって折り畳んだり、跳ね上げたりできる折畳式プラスチック洗浄器。
【請求項２】
請求項１の折畳式プラスチック洗浄器においてＬ型チューブのキャップ内に横から挿入したチューブに穴が横に開いていて折り畳んだときキャップの上部のバルブ受け部にチューブ穴が位置し密閉されるバルブ構造を持つ、また使用時には１８０°反対に穴が下に向き瓶内部の洗浄水がチューブ官内を貫通して排水できるバルブ構造を持つ折畳式プラスチック洗浄器。
【請求項３】
請求項１において、キャップの横の穴に挿入されたチューブの先端がＬ字平面に対し垂直な方向に湾曲した折畳式プラスチック洗浄器。